(57)【要約】【課題】    マウスから不意に外れることがないマウスのカバーを提供する。【解決手段】載置面との相対的な移動距離を検出する距離検出部を下面に有するマウスを覆う袋状のカバーであって、該距離検出部を露出させるための開口である下開口と、該袋状のカバーにマウスを挿入する開口である挿入開口と、を有するカバー本体と、挿入開口を縮小させる縮小手段と、を備えてなる、マウスのカバーである。前記挿入開口が側方に形成されたものであってもよい。マウスの少なくとも後端部が挿入される袋状の袋本体と、マウスの袋本体に挿入された部分よりも前方の上面の少なくとも一部を覆う袋本体に取り付けられた前方上面覆い部と、マウスの袋本体に挿入された部分よりも前方の下面の少なくとも一部を覆う袋本体に取り付けられた前方下面覆い部と、を前記カバー本体が有してなり、前記縮小手段が、前方上面覆い部と前方下面覆い部とを連結するものであってもよい。【選択図】  図７
2007148708.tif 000002
【特許請求の範囲】
【請求項１】
載置面との相対的な移動距離を検出する距離検出部を下面に有するマウスを覆う袋状のカバーであって、
該距離検出部を露出させるための開口である下開口と、該袋状のカバーにマウスを挿入する開口である挿入開口と、を有するカバー本体と、
挿入開口を縮小させる縮小手段と、
を備えてなる、マウスのカバー。
【請求項２】
前記挿入開口が側方に形成されたものである、請求項１に記載のマウスのカバー。
【請求項３】
マウスの少なくとも後端部が挿入される袋状の袋本体と、マウスの袋本体に挿入された部分よりも前方の上面の少なくとも一部を覆う袋本体に取り付けられた前方上面覆い部と、マウスの袋本体に挿入された部分よりも前方の下面の少なくとも一部を覆う袋本体に取り付けられた前方下面覆い部と、を前記カバー本体が有してなり、
前記縮小手段が、前方上面覆い部と前方下面覆い部とを連結するものである、請求項１又は２に記載のマウスのカバー。
【請求項４】
前記カバー本体のうち、マウスの上面部分の少なくともいずれかの部分に面する部分の厚みが、他の部分の厚みよりも大きいものである、請求項１乃至３のいずれか１に記載のマウスのカバー。
【請求項５】
前記カバー本体が、布又は紙により形成されているものである、請求項１乃至４のいずれか１に記載のマウスのカバー。
【請求項６】
マウスの上面に配設され回動される回動操作部を露出させる上開口を前記カバー本体が有するものである、請求項１乃至５のいずれか１に記載のマウスのカバー。
【請求項７】
マウスがケーブルにより接続されるものであり、
前記縮小手段により縮小された挿入開口のいずれかの位置に、該ケーブルが通過することができるケーブル通過路が形成されるものである、請求項１乃至６のいずれか１に記載のマウスのカバー。
【発明の詳細な説明】
【技術分野】
【０００１】
本発明は、マウスのカバーに関し、より詳細には、確実かつ容易にマウスを覆うことができるマウスのカバーに関する。
【背景技術】
【０００２】
マウスは、載置面の上を移動させて操作する手持ち式の位置入力装置であり、例えば、コンピュータ等のディスプレイ上の位置をマウスを用いて入力し指定することでコンピュータ等の処理を指示することができる。なお、マウスは、載置面との相対的な移動距離を検出する距離検出部を有するが、距離検出部は、載置面との機械的接触を利用して該移動距離を検出するもの（例えば、載置面との接触により回転する球（ボール）を用いる。機械方式とも呼ばれる。）や、載置面の模様等を光学的に検出して該移動距離を検出するもの（例えば、載置面の細かな凹凸等を読みとりこれらとの変位を用いる。光学方式とも呼ばれる。）が一般的に用いられており、本発明においてはこれらいずれのものも包含する。
【０００３】
このようなマウスは、パーソナルコンピュータの大規模な普及等により広い範囲で多数のものが用いられるようになってきたが、１のマウスを複数の者が用いる場合は、他人が手で把持したマウスを自分が把持することになるため不快感（例えば、マウス表面がべたつく感じ等）を感じることがあった。また、夏季等のように汗をかきやすいときにマウスを操作すると、マウスに汗が付着するので、自分のみがマウスを操作する場合であっても不快感を感じることがあったし、１のマウスを複数の者が用いる場合に他人の汗が付着したマウスを自分が操作するはなおさら不快感を感じることがあった。
マウスを直接把持するために生じるこのような不快感を防止又は減少させるため、マウスに被せるカバーも知れられている（例えば、特許文献１）。
特許文献１に開示されたマウスに被せるカバー（マウスのカバー）は、「マウスの形状をした布をマウスの上部にかぶせることによって、複数でマウスを使用するときや、汗などによる不快感を減少させるもの」（特許文献１、発明の詳細な説明中の段落番号０００１）であり、具体的には、「（イ）マウスの形状に合わせて薄いカバーを設ける。マウスの接地面より数ミリ上、カバーが床面に触れない大きさに設ける。」（特許文献１、発明の詳細な説明中の段落番号０００５）というものである。これによって、「（イ）表面に貼った布が汗などを吸うため、複数の人の使用、長時間の使用の時の不快感がなくなる。（ロ）着脱が容易なため、社内ＬＡＮシステムなどでも、カバーを持って行けば他のマウスも不快感なく使用できる。（ハ）少しの水濡れには、濡れたカバーを直ちにはずすことによってマウスを守ることができるので、コンピューターを使用しながらコーヒーなどを飲むことができる。（ニ）副次的な効果として、縮緬、絞りなど肌触りの良い布を用いたとき、本発明のカバーを用いなかったときに比べて疲労度が少ない。（ホ）表面を布でおおうため、絵を描いたり刺繍を施したり自由にデザインができる」（特許文献１、発明の詳細な説明中の段落番号０００７）という効果を奏するものである。
【０００４】
【特許文献１】特開２００３−３３０６１０号公報（例えば、発明の詳細な説明中、段落番号０００１、０００５〜０００７、第１図、第４図等）
【発明の開示】
【発明が解決しようとする課題】
【０００５】
しかしながら、特許文献１に係るマウスのカバーは、マウスの接地面より数ミリ上、カバーが床面に触れないよう、マウスの形状をした布をマウスの上部にかぶせるものであり、かかるカバーを取り付けた状態のマウスを操作しているとカバーがマウスから次第にずれてマウスからカバーが不意に外れることがあった。マウスからカバーが外れると、その都度、マウスにカバーを取り付ける必要があり、マウスを用いた作業の能率を低下させるものであった。
そこで、本発明においては、マウスから不意に外れることがないマウスのカバーを提供することを目的とする。
【課題を解決するための手段】
【０００６】
本発明のマウスのカバー（以下、「本カバー」という。）は、載置面との相対的な移動距離を検出する距離検出部を下面に有するマウスを覆う袋状のカバーであって、該距離検出部を露出させるための開口である下開口と、該袋状のカバーにマウスを挿入する開口である挿入開口と、を有するカバー本体と、挿入開口を縮小させる縮小手段と、を備えてなる、マウスのカバーである。
本カバーは、カバー本体と縮小手段とを備えている。カバー本体は、袋状をしており、距離検出部を露出させるための開口である下開口と、マウスを挿入する開口である挿入開口と、を有している（なお、下開口が距離検出部を露出させるとは、載置面との相対的な移動距離を距離検出部が検出できればよく、距離検出部がカバー本体の外部へ（突出してもよいが）突出することを必ずしも要するものではない。）。そして、縮小手段は、カバー本体内部へマウスを挿入することができる挿入開口（マウスが通過することができる挿入開口）をマウスが通過できない程度に小さく縮小させる。このため載置面との相対的な移動距離を検出する距離検出部を下面に有するマウスを挿入開口からカバー本体内部へ挿入し、縮小手段により挿入開口をマウスが通過できない程度に縮小させることにより、袋状の本カバーはマウスを覆うことができる。本カバーにおいては、縮小手段により挿入開口をマウスが通過できない程度に縮小させるので、マウスから本カバーが不意に外れることがなく、マウスを確実かつ容易に覆うことができる。
なお、本カバーがマウスを覆うとは、マウスの全面を覆うことを必ずしも要するものではなくマウスの少なくとも一部（マウスを使用する者の手が接触する部分（通常、マウスの上面）の一部）を覆うことで足りる。
そして、距離検出部は、前述の通り、機械方式と光学方式とのいずれも含む。
さらに、縮小手段は、マウスが通過することができる挿入開口をマウスが通過できない程度に小さく縮小させることができるものであればいかなるものであってもよく何ら限定されるものではないが、一例を挙げれば、粘着テープ、接着剤、面ファスナー、スナップ、線材（紐等）を例示することができる。
【０００７】
前記挿入開口が側方に形成されたものであってもよい。
ここに「挿入開口が側方に形成」されているとは、本カバー（カバー本体）に挿入したマウスを水平な載置面に載置し使用する場合、マウスの重心を含む鉛直な直線から挿入開口が水平方向に関して離れていることをいう（即ち、該重心から挿入開口へ引いたいずれの線分も水平方向への成分を有している。）。
こうすることで縮小手段による挿入開口の縮小が多少緩んでも（挿入開口が多少拡大しても）、マウスに被せた本カバー（カバー本体）が上方に外れること（マウスを手で把持するとカバーを上方につまみ上げるようになるので、カバーはマウスに対して上方への力が加わりやすい。特許文献１に係るマウスのカバーが外れやすいのはこのことが大きな理由である。）を防止することができ、本カバーを一層マウスから不意に外れることがなくマウスを確実かつ容易に覆うことができるものとすることができる。
【０００８】
マウスの少なくとも後端部が挿入される袋状の袋本体と、マウスの袋本体に挿入された部分よりも前方の上面の少なくとも一部を覆う袋本体に取り付けられた前方上面覆い部と、マウスの袋本体に挿入された部分よりも前方の下面の少なくとも一部を覆う袋本体に取り付けられた前方下面覆い部と、を前記カバー本体が有してなり、前記縮小手段が、前方上面覆い部と前方下面覆い部とを連結するものであってもよい。
なお、「後」、「前」、「上」及び「下」とは、マウスを操作する者（操作者）から見て「後」（操作者の背中方向。「前」とは反対方向）、「前」（操作者の正面方向。通常、マウスがケーブルにより接続される場合ではケーブルはマウスの前端に取り付けられる。）、「上」（操作者の上方向）及び「下」（操作者の下方向）をいう。
こうすることでマウスの少なくとも後端部が袋状の袋本体に挿入され、縮小手段が前方上面覆い部と前方下面覆い部とを連結するので、袋本体と前方上面覆い部と前方下面覆い部とを有するカバー本体がマウスをうまく覆うことができると共に縮小手段がマウスを操作する者（操作者）の手のひらが当たりにくい前側（手のひらは後側からマウスにそえられる。）に位置するので縮小手段に手が当たって不意に縮小手段の縮小が緩んだり解けたりすることや縮小手段に手が当たることで使用感を損ねることを防止又は減少させることができる。
【０００９】
前記カバー本体のうち、マウスの上面部分の少なくともいずれかの部分に面する部分の厚みが、他の部分の厚みよりも大きいものであってもよい。
マウスの上面部分の少なくともいずれかの部分に面する部分の厚みを厚くすることで厚みを厚くされた部分の弾力を増すことができ（クッション性を高める）、マウスを操作する者（操作者）の手のひらが厚みを厚くされた部分に当たった際の使用感を向上させることができる。厚みを厚くする部分は、マウスを操作する者（操作者）の手のひらが当たるところとされてもよく、また、カバー本体が布により形成されているときにマウスの上面部分の少なくともいずれかの部分に面する部分を厚くするようにすればマウスを操作する者（操作者）の手のひらが厚みを厚くされた布製の部分に当たった際の使用感を一層向上させることができる。
【００１０】
前記カバー本体が、布又は紙により形成されているものであってもよい。
カバー本体を布製とすれば、耐久性もあり使用感も良いので繰り返し使用することに適する（例えば、マウスを操作する者（操作者）それぞれが自分のカバーをもっておき、マウスを操作する際に自分のカバーを被せるようにしてもよい。）。そして、カバー本体を紙製とすれば、本カバーを安価に形成することができるので、本カバーを使い捨て用（マウスを操作する者（操作者）が操作を開始する際にマウスにカバーを被せ、操作が終了する際にカバーを廃棄する。）とすることもできる。
【００１１】
マウスの上面に配設され回動される回動操作部を露出させる上開口を前記カバー本体が有するものであってもよい。
マウスによっては回動される回動操作部（回動操作部は、例えば、外周が露出した車輪状のものであり、指で外周を触れて車輪を回動させるものを例示できる。この回動により、例えば、表示画面を上下させることができる。）を上面に有するものがある。マウスを操作する者（操作者）がこの回動操作部に触れて回動させることができるよう、回動操作部を露出させる上開口をカバー本体が有するようにすればマウスの操作性を向上させることができる。
【００１２】
マウスがケーブルにより接続されるものであり、前記縮小手段により縮小された挿入開口のいずれかの位置に、該ケーブルが通過することができるケーブル通過路が形成されるものであってもよい。
こうすることでケーブルの一端が取り付けられたマウスを挿入開口からカバー本体内部へ挿入し、ケーブルの他端側が挿入開口から外部に出た状態で縮小手段により挿入開口をマウスが通過できない程度に縮小させる。このときケーブルがケーブル通過路を通過するようにすれば、挿入開口をマウスが通過できないので不意にマウスから本カバーが外れることなくケーブルはうまくケーブル通過路を通過してマウスと電子機器（例えば、コンピュータ）とを連結することができる。
【発明を実施するための最良の形態】
【００１３】
以下、本発明の実施の形態を図面を参照して説明する。しかしながら、これらによって本発明は何ら制限されるものではない。
【００１４】
図１は、本発明のマウスのカバー（本カバー）１１を示す平面図であり、図２は本カバー１１の底面図であり、図３は本カバー１１の正面図（図１及び図２中、矢印Ａ方向から見たところを示している。）であり、図４は本カバー１１の左側面図（図１乃至図３中、矢印Ｂ方向から見たところを示している。）である。図１乃至図４を参照して、本カバー１１について説明する。
なお、図中、「後」、「前」、「上」及び「下」をそれぞれ矢印Ｄ１、Ｄ２、Ｄ３及びＤ４にて示す。
本カバー１１は、大まかには、カバー本体２１と、縮小手段たる面ファスナー４１と、を備えている。
【００１５】
カバー本体２１は、ここでは布によって形成されており、マウス（図示せず）が有する距離検出部（例えば、ボールや光学検出端）を露出させるための開口である下開口３１と、マウス（図示せず）を挿入する開口である挿入開口３３と、マウス（図示せず）の上面に配設され回動される回動操作部を露出させる上開口３５と、を有している。そして、カバー本体２１は、マウス（図示せず）の少なくとも後端部が挿入される袋状（有底無蓋の中空筒状）の袋本体２３と、マウス（図示せず）の袋本体２３に挿入された部分よりも前方の上面の少なくとも一部を覆う袋本体２３に取り付けられた前方上面覆い部２５と、マウス（図示せず）の袋本体２３に挿入された部分よりも前方の下面の少なくとも一部を覆う袋本体２３に取り付けられた前方下面覆い部２７と、を有している。
また、カバー本体２１のうち、マウス（図示せず）の上面部分に面する部分２４（図１、図３、図４中、点線Ｃにより囲まれた部分）は布が二重になっており、他の部分の厚みよりも厚みが大きくなっている。
【００１６】
縮小手段たる面ファスナー４１は、前方上面覆い部２５の前縁２５ａに沿って前方上面覆い部２５内面（下面）に貼着されたオス部４１ａと、前方下面覆い部２７の前縁２７ａに沿って前方下面覆い部２７外面（下面）に貼着されたメス部４１ｂと、を有している。これらオス部４１ａとメス部４１ｂとは互いに係合することができると共に、取り外しも可能である（係脱自在）。
また、オス部４１ａは左右一対設けられており、それらの間にはオス部隙間４２ａが形成されている。同様に、メス部４１ｂは左右一対設けられており、それらの間にはメス部隙間４２ｂが形成されている。オス部４１ａとメス部４１ｂとが互いに係合した際（オス部４１ａの左側とメス部４１ｂの左側とが係合し、オス部４１ａの右側とメス部４１ｂの右側とが係合する。）にも、オス部隙間４２ａとメス部隙間４２ｂとの間は隙間を生じるので、該生じる隙間がケーブル通過路を構成することができる。
【００１７】
図５乃至図７は、マウス６１を本カバー１１によって覆ったところを示す図である。詳細には、図５はマウス６１を覆った本カバー１１の平面図であり、図６はマウス６１を覆った本カバー１１の底面図であり、図７はマウス６１を覆った本カバー１１の正面図（図５及び図６中、矢印Ｅ方向から見たところを示している。）である。図５乃至図７を参照して、マウス６１を覆った本カバー１１について説明する。
図５乃至図７に示したようにマウス６１を本カバー１１によって覆うには、概ね次のようにすればよい。第１に、マウス６１を、マウス６１の後端部６１ｂから挿入開口３３を経てカバー本体２１内部に挿入する。第２に、マウス６１が有する距離検出部たるボール６１ｃが下開口３１に位置すると共に、マウス６１が有する回動操作部たる車輪部６１ｄが上開口３５に位置するようにする。第３に、面ファスナー４１のオス部４１ａとメス部４１ｂとを互いに係合させる。このときオス部隙間４２ａとメス部隙間４２ｂとの間に隙間４２を生じるので、マウス６１を電子機器（図示せず。例えば、コンピュータ）に接続するケーブル６１ｆが隙間４２（ケーブル通過路）を通過するようにする。
【００１８】
以上のようにして、図５乃至図７に示したようにマウス６１を本カバー１１によって覆うことができ、かかる状態でマウス６１を従来と同様に操作することができる。具体的には、マウス６１はテーブル上面等のような載置面７１に載置されており、本カバー１１によって覆われたマウス６１を手で把持し載置面７１に対して相対的に移動させることで距離検出部たるボール６１ｃ（載置面７１との摩擦により）が回転し、カバー本体２１は柔軟な布によって形成されているので右左のクリックボタン６１ｐ１、６１ｐ２に対応する本カバー１１の位置を押すことでクリックボタン６１ｐ１、６１ｐ２を自由に押下することもできる。また、本カバー１１によって覆われたマウス６１を手で把持し、車輪部６１ｄを指によって回転させることもできる。このように本カバー１１は、マウス６１から不意に外れることがなくマウス６１を確実かつ容易に覆うことができると共に、マウス６１を本カバー１１によって覆ってもマウス６１の操作を何ら妨げることなくマウス６１を使用することができる。
なお、ここでは本カバー１１に挿入したマウス６１を水平な載置面７１に載置して使用しており、マウス６１の重心Ｇを含む鉛直な直線Ｌから挿入開口３３（図３及び図４参照）が水平方向に関して離れており、挿入開口３３が側方に形成されたものである。
【００１９】
以上説明したように、本カバー１１は、載置面７１との相対的な移動距離を検出する距離検出部たるボール６１ｃを下面に有するマウス６１を覆う袋状（有底無蓋の中空筒状）のカバーであって、該距離検出部たるボール６１ｃを露出させるための開口である下開口３１と、本カバー１１にマウス６１を挿入する開口である挿入開口３３と、を有するカバー本体２１と、挿入開口３３を縮小させる縮小手段たる面ファスナー４１（オス部４１ａ、メス部４１ｂ）と、を備えてなる、マウスのカバーである。ここでは前記挿入開口３３が側方に形成されている。
さらに、マウス６１の少なくとも後端部６１ｂが挿入される袋状の袋本体２３と、マウス６１の袋本体２３に挿入された部分よりも前方（矢印Ｄ２方向）の上面６１ｍの少なくとも一部を覆う袋本体２３に取り付けられた前方上面覆い部２５と、マウス６１の袋本体２３に挿入された部分よりも前方（矢印Ｄ２方向）の下面６１ｎの少なくとも一部を覆う袋本体２３に取り付けられた前方下面覆い部２７と、を前記カバー本体２１が有してなり、前記縮小手段たる面ファスナー４１（オス部４１ａ、メス部４１ｂ）が、前方上面覆い部２５と前方下面覆い部２７とを連結するものである。
【００２０】
また、前記カバー本体２１のうち、マウス６１の上面６１ｍ部分の少なくともいずれかの部分に面する部分２４（図１、図３及び図４等参照）は布が二重にされており、部分２４の厚みが、他の部分（布は一重）の厚みよりも大きい。
前記カバー本体２１が布により形成されている。
さらに、マウス６１の上面６１ｍに配設され回動される回動操作部たる車輪部６１ｄを露出させる上開口３５を前記カバー本体２１が有する。
また、ここではマウス６１がケーブル６１ｆにより接続されるものであり、前記縮小手段たる面ファスナー４１（オス部４１ａ、メス部４１ｂ）により縮小された挿入開口３３のいずれかの位置（オス部隙間４２ａとメス部隙間４２ｂとの間）に、該ケーブル６１ｆが通過することができるケーブル通過路たる隙間４２が形成される。
【００２１】
ここで図面を参照しつつ説明した本カバー１１は、本発明のマウスのカバー（本カバー）の一実施形態を示したものであり種々の変更が可能である。代表的な変更を例示すれば次の通りである。
（１）覆うべきマウスの形状に応じて本カバーの形状や寸法を変更すること。
（２）マウスが有する距離検出部が、ここで説明したボール６１ｃのような機械方式ではなく光学方式のものとすること。
（３）挿入開口３３を縮小させる縮小手段を、面ファスナー４１ではなく、粘着テープ（両面に粘着面を有するいわゆる両面テープも含む。）、接着剤、スナップ、線材（紐等）等に変更すること。
（４）カバー本体２１の材質を布以外の材質（例えば、紙、樹脂フィルム等）に変更すること。
（５）部分２４のような厚みの大きい部分を形成せず、カバー本体２１全体を同じ厚みにすること。
【図面の簡単な説明】
【００２２】
【図１】本発明のマウスのカバー（本カバー）を示す平面図である。
【図２】本カバーの底面図である。
【図３】本カバーの正面図である。
【図４】本カバーの左側面図である。
【図５】マウスを覆った本カバーの平面図である。
【図６】マウスを覆った本カバーの底面図である。
【図７】マウスを覆った本カバーの正面図である。
【符号の説明】
【００２３】
１１        本カバー
２１        カバー本体
２３        袋本体
２４        部分
２５        前方上面覆い部
２５ａ      前縁
２７        前方下面覆い部
２７ａ      前縁
３１        下開口
３３        挿入開口
３５        上開口
４１        面ファスナー
４１ａ      オス部
４１ｂ      メス部
４２        隙間
４２ａ      オス部隙間
４２ｂ      メス部隙間
６１        マウス
６１ｂ      後端部
６１ｃ      ボール
６１ｄ      車輪部
６１ｆ      ケーブル
６１ｍ      上面
６１ｎ      下面
６１ｐ１、６１ｐ２  クリックボタン
７１        載置面
【図１】
2007148708.tif 000003
【図２】
2007148708.tif 000004
【図３】
2007148708.tif 000005
【図４】
2007148708.tif 000006
【図５】
2007148708.tif 000007
【図６】
2007148708.tif 000008
【図７】
2007148708.tif 000009